(57)【要約】【課題】衛生的で、且つ、髭剃り処理時の作業性を著しく向上させることができる剃り髭除去具を提供する。【解決手段】剃刀の刃及び髭に付着した水分を吸収し得る吸収層２と、該吸収層２の上面側を覆った不織布３と、吸収層２の下面側を覆うとともに、当該吸収層２中の水分を通さないラミネート層４とが一体的に形成されたペーパ体１から成る使い捨て剃り髭除去具であって、当該ペーパ体１が平面視略長方形に形成されるとともに、ラミネート層４の下面における長手方向に亘って両面テープ５が固定されたものである。【選択図】　図１
2004065842.tif 000002
【特許請求の範囲】
【請求項１】
剃刀の刃及び髭に付着した水分を吸収し得る吸収層と、
該吸収層の上面側を覆った不織布から成る拭層と、
前記吸収層の下面側を覆うとともに、当該吸収層中の水分を通さないラミネート層と、
が一体的に形成されたペーパ体から成る使い捨て剃り髭除去具であって、
当該ペーパ体が平面視略長方形に形成されるとともに、前記ラミネート層の下面における長手方向に亘って粘着手段が固定されたことを特徴とする使い捨て剃り髭除去具。
【請求項２】
前記ペーパ体は、前記吸収層がコットンから成るとともに前記ラミネート層がビニール製ラミネート材から成り、当該コットン下面にビニール製ラミネート材を付着させつつ当該コットン上面に前記不織布が覆って構成されたことを特徴とする請求項１記載の使い捨て剃り髭除去具。
【請求項３】
前記粘着手段は、両面粘着テープから成ることを特徴とする請求項１又は請求項２記載の使い捨て剃り髭除去具。
【請求項４】
前記拭層には、予め消毒液が染み込ませてあることを特徴とする請求項１〜請求項３のいずれか１つに記載の使い捨て剃り髭除去具。
【発明の詳細な説明】
【０００１】
【発明の属する技術分野】
本発明は、髭剃り処理時に剃刀の刃に付着した髭を取り除くための使い捨て剃り髭除去具に関するものである。
【０００２】
【従来の技術】
理容室等で理容師がお客の髭剃り処理を行うにあたり、剃刀には、剃り髭及び予めお客の髭部に塗っておいたシェービングクリームが付着するので、これを適宜除去して髭剃り処理をスムーズに行わせしめるべく剃り髭除去具が用いられている。一般の剃り髭除去具は、お客にかけた髭剃り用布の上に載置され、これに理容師が剃刀の刃を適宜拭うことにより使用されている。
【０００３】
従来の剃り髭除去具として、例えば特開２０００−１７５７３１号で開示されたものが挙げられる。かかる剃り髭除去具は、衛生面を考慮して、剃刀の刃を拭うペーパ部材と、該ペーパ部材を載せる台材とが別体として構成されており、お客毎にペーパ部材を取り換え得るようになっている。また、台材は、軟質剛性樹脂素材から構成されており、その一部には、剃り髭除去具を髭剃り用布上に安定して固定するよう、粘着部材が取り付けられている。
【０００４】
【発明が解決しようとする課題】
しかしながら、上記従来の剃り髭除去具は、お客の髭剃り用布上（即ち、横臥したお客の肩部近傍）に載置されて使用されるものであるため、髭剃り処理時における作業性が悪化してしまうという問題があった。即ち、理容師は、お客に対して種々立ち位置で髭剃り処理を行う必要があるのに対し、剃り髭除去具は一定の位置に載置されているため、剃刀を拭う度に当該剃り髭除去具が載置された場所に戻らなければならず、作業性が悪いのである。
【０００５】
また、ペーパ部材をお客毎に取り換え可能であるので、衛生的であるが、台材は共通に使用され、お客毎に当該台材を別途洗浄等しなければならない。また、洗浄が不十分であると衛生面で問題があるので、薬剤や熱湯消毒等面倒な作業を行う必要があり、理容師の作業性が更に悪化してしまうという問題があった。
【０００６】
尚、上記の如き作業性の問題を解決すべく、剃刀を拭うためのスポンジ体にリストバンド（取付体）が取り付けられたものが実開昭５４−４１９７号公報に開示されている。かかる剃り髭除去具によれば、理容師の腕にスポンジ体が取り付けられ得るので、髭剃り処理時の作業性をある程度向上できるものの、理容師が自分の腕にリストバンドを取り付け又は取り外すには、手間がかかってしまうので十分ではない。
【０００７】
即ち、理容師は、髭剃り処理と並行して種々作業を行うのが通常であり、例えば髭剃り処理の合間に洗髪作業を行う場合、スポンジ体に水がかかって濡れてしまい、その状態で髭剃り処理を続けるとお客に垂れたりして不具合が生じてしまう。かかる不具合を回避すべく、リストバンドを頻繁に取り付け及び取り外しする必要が生じるのであるが、バンドを結ぶのに手間がかかり、その分作業性が悪化してしまうのである。
【０００８】
本発明は、このような事情に鑑みてなされたもので、衛生的で、且つ、髭剃り処理時の作業性を著しく向上させることができる剃り髭除去具を提供することにある。
【０００９】
【課題を解決するための手段】
請求項１記載の発明は、剃刀の刃及び髭に付着した水分を吸収し得る吸収層と、該吸収層の上面側を覆った不織布から成る拭層と、前記吸収層の下面側を覆うとともに、当該吸収層中の水分を通さないラミネート層とが一体的に形成されたペーパ体から成る使い捨て剃り髭除去具であって、当該ペーパ体が平面視略長方形に形成されるとともに、前記ラミネート層の下面における長手方向に亘って粘着手段が固定されたことを特徴とする。
【００１０】
請求項２記載の発明は、請求項１記載の使い捨て剃り髭除去具において、前記ペーパ体は、前記吸収層がコットンから成るとともに前記ラミネート層がビニール製ラミネート材から成り、当該コットン下面にビニール製ラミネート材を付着させつつ当該コットン上面に前記不織布が覆って構成されたことを特徴とする。
【００１１】
請求項３記載の発明は、請求項１又は請求項２記載の使い捨て剃り髭除去具において、前記粘着手段は、両面粘着テープから成ることを特徴とする。
【００１２】
請求項４記載の発明は、請求項１〜請求項３のいずれか１つに記載の使い捨て剃り髭除去具において、前記拭層には、予め消毒液が染み込ませてあることを特徴とする。
【００１３】
【発明の実施の形態】
以下、本発明の実施形態について図面を参照しながら具体的に説明する。
本実施形態に係る使い捨て剃り髭除去具は、髭剃り処理時に剃刀の刃に付着した髭（及び髭と一緒に剃刀の刃に付着したシェービングクリーム等）を取り除くためのものであり、図１に示すように、平面視で横寸法ａの方が縦寸法ｂよりも長い長方形状のペーパ体１の下面に両面テープ５が取り付けられている。例えば、横寸法ａが１１０ｍｍ、縦寸法ｂが５０ｍｍ程度とするのが好ましい。
【００１４】
かかるペーパ体１は、図２に示すように、コットンから成る吸収層２と、その上面を覆う不織布３（拭層）と、下面を覆うラミネート層４とから構成されており、これら吸収層２、不織布３及びラミネート層４が一体化されたものである。また、ペーパ体１は上記材質から成るため、全体として柔らかく形成されており、理容師の腕に付着させた場合、その表面形状に倣って曲がり得るようになっている。
【００１５】
不織布３は、ペーパ体１の最上部に位置して剃刀を拭うためのもので、当該剃刀の刃を押し付けつつ摺動させると、剃り髭やシェービングクリーム等が付着するよう構成されている。かかる不織布３には、予め消毒液が染み込ませてあり、剃刀の刃を拭うと、剃り髭等の除去に加え、当該剃刀の刃を消毒することができるようになっている。
【００１６】
これにより、剃刀を拭層で拭う度に消毒ができ、更に衛生的なものとすることができるとともに、髭剃り処理時に別途消毒液を塗布するものに比べ、作業性をも向上させることができる。また、剃り髭やシェービングクリーム等に含まれた水分は不織布３によって拭われ、その水分が当該不織布３を通過して下方に位置する吸収層２に至ることとなる。
【００１７】
吸収層２は、剃刀の刃を拭うことにより不織布３を通過した水分を吸収し得るものである。即ち、剃刀の刃及び髭等に付着した水分は、不織布３で拭われ、その後、吸収層２で吸収されるのである。かかる吸収層２は、不織布３或いはラミネート層４よりも厚く形成され、水分を十分に吸収するように構成されている。尚、本実施形態においては、吸収層２がコットンから成るが、それに代えて他の水分吸収部材としてもよい。
【００１８】
ラミネート層４は、吸収層２で吸収された水分を下方に通さないビニール製のものから成るものである。これにより、ペーパ体１を理容師の腕に取り付けて剃刀の刃を拭っても、拭われた水分が理容師の腕まで至らず、快適な髭剃り処理を行うことができるとともに、下方から水が垂れてお客に水がかかってしまうのを確実に回避することができる。
【００１９】
両面テープ５は、ラミネート層４の下面における長手方向（横寸法ａ方向）に亘って形成されたものであり、本発明における粘着手段を構成するものである。かかる両面テープ５は、図３で示すように、粘着テープ部５ａ上に剥がし紙５ｂが取り付けられた状態とされており、剃り髭除去具の使用時において、剥がし紙５ｂを剥がし、粘着テープ部５ａを露出させた状態とする。
【００２０】
上記状態にて、理容師の腕に粘着テープ部５ａを粘着させると、図６に示すように、当該理容師の腕にペーパ体１が付着し得るようになっている。これにより、作業中の理容師の立ち位置に関わらず、剃刀の刃（同図において符号Ｋで示した）を常時拭うことができ、髭剃り処理時における作業性を向上させることができる。
【００２１】
また、同図に示すように、理容師の腕が延びる方向（肩から手に至る方向）にペーパ体１の横寸法ａを揃え、当該腕の延びる方向とペーパ体１の長手方向とが同一方向となるよう粘着テープ部５ａを粘着させる。然るに、剃刀の刃Ｋを不織布３のいずれかの部分に当て、そのままペーパ体１の縦寸法ｂ方向へ摺動させることにより剃刀の刃Ｋを拭うようになっている。
【００２２】
このように、ペーパ体１の長手方向が理容師の腕の延びる方向と一致しているので、当該長手方向の寸法分だけ拭うことができ、剃刀の刃Ｋを拭える回数を増加させることができる。即ち、理容師の腕の延びる方向におけるペーパ体１の寸法（具体的には、不織布３の横寸法）により、剃刀の刃を拭える回数が決まる（衛生上の都合から同一箇所での剃刀の刃の拭い作業はできないものとした場合）ので、本実施形態によれば、一つの剃り髭除去具における寿命を延ばすことができる。
【００２３】
上記剃り髭除去具は、複数枚積層されて図４に示すような箱体Ｂ内に収容されるのが好ましい。かかる箱体Ｂは、厚紙等から成り、同図に示すように、上面から正面に亘って切り取り線が形成されたものである。そして、当該切り取り線に沿って切り取ると、図５に示すように、上方へ開口可能な蓋部Ｂａが形成されることとなり、該蓋部Ｂａを開いた状態にて最上部に位置する剃り髭除去具を取り出し得るようになっている。
【００２４】
上記箱体Ｂによって剃り髭除去具を収容することにより、必要時に１枚づつ確実に取り出すことができ、髭剃り処理時における作業性を更に向上させることができる。また、積層状態にて箱体Ｂに収容することにより、運搬が容易なものとすることができる。尚、箱体Ｂは、厚紙に限らず、樹脂成形品等に代えて積層した剃り髭除去具を収容するようにしてもよい。
【００２５】
本実施形態に係る剃り髭除去具によれば、両面テープ５にて理容師の腕に粘着可能とされているので、複数回脱着したとしても、確実に取り付け可能とすることができ、例えば髭剃り処理の合間に洗髪作業を行う場合、簡単に取り外してペーパ体１に水がかかってしまうのを回避でき、その後の髭剃り処理時に再度取り付けることができる。よって、腕に取り付けた剃り髭除去具から水が垂れてお客にかかってしまうという不具合を確実に回避することができる。
【００２６】
また、コットン、ビニール製ラミネート材及び不織布を一体としたものでペーパ体が構成され、且つ、ビニール製ラミネート材の下面に両面テープを固定して粘着手段としているので、いずれも安価な材料で製造することができ、処理髭除去具全体が使い捨て可能なものとなっている。よって、お客毎に常に新しい剃り髭処理具を使用でき、衛生管理を更に向上させることができる。
【００２７】
以上、本実施形態に係る使い捨て剃り髭除去具について説明したが、本発明はこれに限定されるものではなく、例えば両面テープに代えて他の粘着手段としてもよい。但し、この場合であっても、複数回の脱着による粘着力の低下があまりないものを用いるのが好ましい。また、本実施形態においては、不織布（拭層）に消毒液を予め染み込ませているが、当該消毒液を染み込ませないものとしてもよい。勿論、不織布（拭層）に他の薬剤（剃刀の刃の切れ味を向上させる剤やシェービングローション等）を予め染み込ませるようにしてもよい。
【００２８】
【発明の効果】
請求項１の発明によれば、吸収層、拭層及びラミネート層が一体となってペーパ体を構成するとともに、当該ペーパ体が平面視略長方形に形成されているので、全体を使い捨てとすることができ衛生的である。加えて、ラミネート層の下面における長手方向に亘って粘着手段が固定されているので、ペーパ体の理容師等への脱着作業を容易とし、髭剃り処理時の作業性を著しく向上することができる。
【００２９】
請求項２の発明によれば、ペーパ体は、前記吸収層がコットンから成るとともに前記ラミネート層がビニール製ラミネート材から成り、当該コットン下面にビニール製ラミネート材を付着させつつ当該コットン上面に前記不織布が覆って構成されたので、水分の吸収を向上させつつその水分が理容師等に至ってしまうのを有効に回避できる。
【００３０】
請求項３の発明によれば、粘着手段が両面粘着テープから成るので、剃り髭除去具の製造時において、ラミネート層下面に対し粘着手段を容易に、且つ、確実に固定させることができる。
【００３１】
請求項４の発明によれば、拭層には予め消毒液が染み込ませてあるので、剃刀を拭層で拭う度に消毒ができ、更に衛生的なものとすることができるとともに、髭剃り処理時に別途消毒液を塗布するものに比べ、作業性をも向上させることができる。
【図面の簡単な説明】
【図１】本発明の実施形態に係る使い捨て剃り髭除去具を示す上面図及び下面図
【図２】図１におけるＩＩ−ＩＩ線断面図
【図３】本発明の実施形態に係る使い捨て剃り髭除去具における両面テープ（粘着手段）を示す斜視図
【図４】本発明の実施形態に係る使い捨て剃り髭除去具を収容するための箱体を示す斜視図
【図５】同箱体の蓋部を開いた状態を示す斜視図
【図６】本発明の実施形態に係る使い捨て剃り髭除去具を理容師の腕に粘着した状態を示す模式図
【符号の説明】
１…ペーパ体
２…吸収層（コットン）
３…拭層（不織布）
４…ラミネート層
５…両面テープ（粘着手段）
ａ…ペーパ体の横寸法
ｂ…ペーパ体の縦寸法
【図１】
2004065842.tif 000003
【図２】
2004065842.tif 000004
【図３】
2004065842.tif 000005
【図４】
2004065842.tif 000006
【図５】
2004065842.tif 000007
【図６】
2004065842.tif 000008